(57)【要約】      （修正有）【課題】履物に磁石を埋め込む事により、手軽に左右の履物を揃えて脱ぐことが出来る様になる接着部位付きの履物を提供する。【解決手段】履物の左右を合わせて履物の左右が接する覆いの部分１２ａの片方に接着用磁石２１１ａを埋め込み、もう片方にこの接着用磁石２１１ａに対して吸着する異極の磁極の面を向かい合わせた接着用磁石２１１ｂを縫い込むなどして、埋め込んで取り付けて接着部位２１つき履物を形成する。接着用磁石２１１ａ、２１１ｂは一般に４００〜６００ｇ程度（１、０００〜１，３００ガウス程度）の吸着力のあるフェライト磁石であれば、履物の覆い部分１２が通常の厚さの覆いであれば充分に機能する。吸着能力があればゴム磁石であっても良い。【選択図】図１
0003177046.tif 000002
【実用新案登録請求の範囲】
【請求項１】
履物の左右を合わせて履物の左右が接する覆いの部分の片方に接着用磁石を埋め込み、もう片方にこの接着用磁石に対して吸着する異極の磁極の面を向かい合わせた接着用磁石を埋め込んで取り付けたことを特徴とする接着部位つき履物。
【請求項２】
履物の左右を合わせて履物の左右が接する覆いの部分の片方に接着用磁石を埋め込み、もう片方に吸着性のある磁性体を埋め込んで取り付けたことを特徴とする接着部位つき履物。
【請求項３】
履物の左右を合わせて履物の左右が接する覆いの部分の外側の左右双方に接着力のある接着用マジック・テープを取り付けたことを特徴とする接着部位つき履物。
【考案の詳細な説明】
【技術分野】
【０００１】  本考案は、履物の左右を合わせて履物の左右が接する覆いの部分に、接着しかつ容易に離反できる部位を備えた接着部位つき履物に関するものである。
【背景技術】
【０００２】  一般に履物に関する技術は履物自体に関する配慮であって履物を脱いだあとに揃えて置くなどの配慮ではない。履物を脱いだあと揃えて置く技術は特許公開２００４−２４８６６号広報で公知であるが、これは履物を脱いだあと別の装置によって実施されているものである。
【先行技術文献】
【特許文献】
【０００３】
【特許文献１】特許公開２００４−２４８６６号広報
【考案の概要】
【考案が解決しようとする課題】
【０００４】  履物の左右を揃えて脱ぐ場合、手で揃えるためには腰をかがめるなどによる身体の負担が多くあり、また足先で揃えると上手にはできない場合が多い。この結果脱いだ履物は乱れ勝ちである。これらの動作の負担を軽減し手軽に左右の履物を揃えて脱ぐ方法が望まれる。
【課題を解決するための手段】
【０００５】  上記課題を解決するために、本考案は履物の左右を揃えて脱ぐために、履物の左右を合わせて履物の左右が接する覆いの部分の片方に接着用磁石を埋め込み、もう片方にこの接着用磁石に対して吸着する異極の磁極の面を向かい合わせた接着用磁石を埋め込んで取り付けた接着部位つき履物であることを特徴とする。【０００６】  または、履物の左右を合わせて履物の左右が接する覆いの部分の片方に接着用磁石を埋め込み、もう片方に吸着性のある磁性体を埋め込んで取り付けた接着部位つき履物であることを特徴とする。【０００７】  または、履物の左右を合わせて履物の左右が接する覆いの部分の外側の左右の双方に接着力のある接着用マジック・テープを取り付けた接着部位つき履物であることを特徴とする。
【考案の効果】
【０００８】  本考案に係る接着部位つき履物に依れば、履物を脱ぐ場合に、履物を履いたまゝ左右の足を揃えて密着させたのち、片方の足の履物を脱ぎ、脱いだ足をそのまゝ半歩進めて、目的の場所に踏み込むと、もう一方の残った足には左右の履物が連動しているため、履物を脱いだ方の片足を軸足にして身体を半回転させて、残った履物を脱げば左右の履物は必然的に整然として、揃った状態になり、かつ履き易い方向を向いた状態に置かれる。【０００９】  本考案に依る接着部位つき履物に依れば、履物を履く場合は、整然と揃った履物を両足に履き、ついで片方の足を通常に踏み出すだけで、左右の履物が接着するために必要な力は足の踏み出す力に比べて極めて弱くて良いため、何の支障もなく動作できる。
【図面の簡単な説明】
【００１０】
【図１】本考案に依る接着部位つき履物の一例を示す履物の左右を合わせて履物の左右が接する覆いの部分の片方に接着用磁石を埋め込み、もう片方にこの接着用磁石に対して吸着する異極の磁極の面を向かい合わせた接着用磁石を埋め込んで取り付けた概略斜視図である。
【図２】本考案に依る接着部位つき履物の一例を示す履物の左右を合わせて履物の左右が接する覆いの部分の片方に接着用磁石を埋め込み、もう片方に吸着性のある磁性体を埋め込んで取り付けた概略斜視図である。
【図３】本考案に依る接着部位つき履物の一例を示す履物の左右を合わせて履物の左右が接する覆いの部分の外側の左右双方に接着力のある接着用マジック・テープを取り付けた概略斜視図である。
【図４】本考案に依る接着部位つき履物の一例を示す上記図１の接着部位部分を横断した左右の履物の断面図である。
【図５】本考案に依る接着部位つき履物の一例を示す上記図２の接着部位部分を横断した左右の履物の断面図である。
【図６】本考案に依る接着部位つき履物の一例を示す上記図３の接着部位部分横断した左右の履物の断面図である。
【考案を実施するための形態】
【００１１】  以下に、本考案に係る接着部位つき履物の実施例を図１乃至図６に基ずいて説明する。本考案に係る接着部位つき履物の図１乃至図６において、１０は本考案に係る接着部位つき履物であり左右の履物を現している。ここで、１１は足を乗せる履物の床の部分であり、１２は足に架かる履物の覆いの部分である。
【００１２】  この接着部位つき履物１０は、屋内で使用するスリッパ類であっても、戸外で使用するサンダルや靴類であってもよい。
【実施例１】
【００１３】  図１に於いて、履物の左右を合わせて履物の左右が接する覆いの部分１２ａの片方に接着用磁石２１１ａを埋め込み、もう片方にこの接着用磁石２１１ａに対して吸着する異極の磁極の面を向かい合わせた接着用磁石２１１ｂを縫い込むなどして、埋め込んで取り付けた接着部位２１つき履物の例である。【００１４】  図４は上記図１の断面図を現し、接着用磁石２１１は吸着力のある異極の面（Ｎ極とＳ極）を向い合せて履物の左右が接する覆いの部分１２ａの左右それぞれに２１１ａと２１１ｂとして埋め込んで取り付けた接着部位２１つき履物の例である。【００１５】  接着用磁石２１１は一般に４００〜６００ｇ程度（１、０００〜１，３００ガウス程度）の吸着力のあるフェライト磁石であれば、履物の覆い部分１２が通常の厚さの覆いであれば充分に機能する。吸着能力があればゴム磁石であっても良い。磁石の吸着能力は、履物の左右が接する覆いの部分１２ａの材料の厚さによる磁石の吸着能力への影響が履物の相手方を引き付ける力を保てる状況を保持できれば良い。【００１６】  履物の覆いの部分１２の中に接着用磁石２１１を埋め込んで接着部位２１を造る場合、左右が同形の履物だと外見上は接着部位２１のある側面が判明しにくいため、これの見分けをし易くするための印を履物の覆い部分１２の外部に付けることも考えられる。または、左右の履物の其々の両側に接着部位２１を造ることも考えられる。この場合、多くの同様の機能を持つた履物が混在すると、他人の履物と吸着することも考えられるため使用上配慮が必要となる。【００１７】  但し、一般に接着部位つき履物１０を使い慣れれば、接着部位２１のある側面が外形上判明しなくても、その接着する機能から接着部位２１のある側面は簡単に見分けられるので、左右の履物の内側の片側ずつに接着部位２１があれば実用上充分である。
【実施例２】
【００１８】  図２に於いては、履物の左右を合わせて履物の左右が接する覆いの部分１２ａの片方に接着用磁石２１１を埋め込み、もう片方に吸着性のある磁性体２１２を埋め込んで取り付けた接着部位２１つき履物の例である。【００１９】  図５は上記図２の断面図を現し、２１１は接着用磁石であり２１２は吸着性のある磁性体であり、これらを履物の左右が接する覆いの部分１２ａの双方にそれぞれ埋め込んで取り付けた接着部位２１つき履物の例である
【実施例３】
【００２０】  図３に於いては、履物の左右を合わせて履物の左右が接する覆いの部分１２ａの外側の左右双方に接着力のある接着用マジック・テープ２１３を取り付けた接着部位２１つき履物の例である。【００２１】  図６は上記図３の断面図を現し、履物の左右が接する覆いの部分１２ａの外側の双方に接着用マジック・テープ２１３を取り付けた接着部位２１つき履物の例である。【００２２】  接着力のある接着用マジック・テープ２１３は履物の左右が接する覆いの部分１２ａの外側に縫い付けても、糊付けしても良い。ここで接着用マジック・テープ２１３はゴム磁石であっても良い。【００２３】  履物の左右を合わせて履物の左右が接する覆いの部分１２ａの外側の左右双方に接着力のある接着用マジック・テープ２１３を取り付けて接着部位２１を造る場合は、左右が同形の履物であっても、容易に接着部位２１のある側面を外見上判別できるため、左右の履物の内側の片側ずつに接着部位２１があれば良い。【００２４】  但し、履物の左右が接する覆いの部分１２ａの外側に接着力のある接着用マジック・テープ２１３を取り付けて接着部位２１を造る場合は、これが履物の床の底部１１ａの部分にかからないようにしないと、屋内では建物の床が絨毯類の場合は、マジック・テープはこれと接着する可能性があるため歩行がし難くなる。また戸外では、地面のゴミなどを付着してしまうので、接着部位２１の取り付け箇所は履物の床の底部１１ａから離れた位置にある履物の左右が接する覆いの部分１２ａが望ましい。
【符号の説明】
【００２５】１０    接着部位つき履物
１１    履物の床
１１ａ  履物の床の底部
１２    履物の覆い部分
１２ａ  履物の左右が接する覆いの部分
２１    接着部位
２１１，２１１ａ，２１１ｂ  接着用磁石
２１２  磁性体
２１３  接着用マジック・テープ
【図１】
0003177046.tif 000003
【図２】
0003177046.tif 000004
【図３】
0003177046.tif 000005
【図４】
0003177046.tif 000006
【図５】
0003177046.tif 000007
【図６】
0003177046.tif 000008